(57)【要約】【課題】  毒物や劇物に指定された商品などの特定商品を購入する顧客に対し、本人確認を行った上で決済処理を行うことを目的とする。【解決手段】  販売商品が特定商品であるか否かを示す分類コードを管理項目とする商品マスタ２０を記憶する商品マスタ管理手段５２０と、商品コードを取得する商品コード取得手段５１０と、商品マスタを参照して分類コードを読み出し、購入商品が特定商品に該当するか否かを判別する判別手段５４０と、購入商品が特定商品に該当する場合、身分証明書の情報入力を行う情報入力手段５６０と、身分証明書の情報を記憶する情報記憶手段５７０と、身分証明書の情報入力が行われた場合、並びに購入商品に特定商品が含まれない場合、取得した商品コードに基づいて決済処理を行う決済処理手段５８０と、身分証明書の情報入力が行われない場合、決済処理を中止する決済処理中止手段５９０と、を備えたものである。【選択図】  図７
2005141372.tif 000002
【特許請求の範囲】
【請求項１】
顧客の購入商品に、予め定められた特定商品が含まれる場合、当該顧客の身分証明書の情報入力を条件として決済処理を行うＰＯＳシステムであって、
少なくとも、販売商品の商品コード、単価、並びに当該販売商品が前記特定商品であるか否かを示す分類コードを管理項目とする商品マスタを記憶及び管理する商品マスタ管理手段と、
前記顧客の購入商品を特定するための商品コードを取得する商品コード取得手段と、
前記商品マスタを参照し、取得した前記商品コードによって特定される各購入商品の前記分類コードを読み出す分類コード読み出し手段と、読み出した前記分類コードに基づき、各購入商品が前記特定商品に該当するか否かを判別する判別手段と、
前記購入商品が前記特定商品に該当する場合、前記身分証明書の情報入力を指示する情報入力指示手段と、
前記身分証明書の情報入力を行う情報入力手段と、
前記身分証明書の情報を記憶する情報記憶手段と、
前記身分証明書の情報入力が行われた場合、並びに前記購入商品に前記特定商品が含まれない場合、取得した前記商品コードおよびこれによって特定される前記購入商品の単価に基づいて決済処理を行う決済処理手段と、を備えたことを特徴とするＰＯＳシステム。
【請求項２】
顧客の購入商品のいずれかが、予め定められた特定商品の組み合わせに該当する場合、当該顧客の身分証明書の情報入力を条件として決済処理を行うＰＯＳシステムであって、
少なくとも、販売商品の商品名、単価、並びに当該販売商品が、前記特定商品の組み合わせに該当するか否かを示す組み合わせコードを管理項目とする商品マスタを記憶及び管理する商品マスタ管理手段と、
前記顧客の購入商品を特定するための商品コードを取得する商品コード取得手段と、
前記商品マスタを参照し、取得した前記商品コードによって特定される前記購入商品の前記組み合わせコードを読み出す組み合わせコード読み出し手段と、
読み出した前記組み合わせコードに基づき、前記購入商品のいずれかが前記特定商品の組み合わせに該当するか否かを判別する判別手段と、
前記購入商品のいずれかが前記特定商品の組み合わせに該当する場合、前記身分証明書の情報入力を指示する情報入力指示手段と、
前記身分証明書の情報入力を行う情報入力手段と、
前記身分証明書の情報を記憶する情報記憶手段と、
前記身分証明書の情報入力が行われた場合、並びに前記購入商品のいずれかが前記特定商品の組み合わせに該当しない場合、取得した前記商品コードおよびこれによって特定される前記購入商品の単価に基づいて決済処理を行う決済処理手段と、を備えたことを特徴とするＰＯＳシステム。
【請求項３】
前記情報入力指示手段は、前記身分証明書に代えて、前記顧客名義のクレジットカードの情報入力を指示し、
前記情報入力手段は、前記クレジットカードの情報入力を行い、
前記決済処理手段は、前記クレジットカードの情報に基づいて、当該クレジットカードによる決済処理を行うことを特徴とする請求項１又は２に記載のＰＯＳシステム。
【請求項４】
前記情報入力手段は、前記身分証明書および前記クレジットカードのいずれの情報入力も行い得るように構成されており、
前記情報入力指示手段は、前記身分証明書又は前記クレジットカードのいずれか一方の選択的な情報入力を指示することを特徴とする請求項３に記載のＰＯＳシステム。
【請求項５】
前記情報入力指示手段は、前記顧客側に向けられた顧客用ディスプレイ、および／または前記ＰＯＳシステムを操作するオペレータ側に向けられたオペレータ用ディスプレイに、前記情報入力の指示内容を表示することによって指示を行うことを特徴とする請求項１ないし４のいずれか１に記載のＰＯＳシステム。
【請求項６】
前記購入商品に含まれる前記特定商品の量または数を計数する特定商品計数手段と、
計数した前記特定商品の量または数が、所定量または所定数を超えているか否かを判別する第２判別手段と、を更に備え、
前記情報入力指示手段は、前記第２判別手段の結果、前記購入商品に所定量または所定数を超える特定商品が含まれる場合、前記身分証明書の情報入力を指示することを特徴とする請求項１ないし５のいずれか１に記載のＰＯＳシステム。
【請求項７】
顧客の購入商品に、予め定められた特定商品が含まれる場合、当該顧客の身分証明書の情報入力を条件として決済処理を行うＰＯＳ端末であって、
少なくとも、販売商品の商品コード、単価、並びに当該販売商品が前記特定商品であるか否かを示す分類コードを管理項目とする商品マスタを記憶及び管理する商品マスタ管理手段と、
前記顧客の購入商品を特定するための商品コードを取得する商品コード取得手段と、
前記商品マスタを参照し、取得した前記商品コードによって特定される各購入商品の前記分類コードを読み出す分類コード読み出し手段と、読み出した前記分類コードに基づき、各購入商品が前記特定商品に該当するか否かを判別する判別手段と、
前記購入商品が前記特定商品に該当する場合、前記身分証明書の情報入力を指示する情報入力指示手段と、
前記身分証明書の情報入力を行う情報入力手段と、
前記身分証明書の情報を記憶する情報記憶手段と、
前記身分証明書の情報入力が行われた場合、並びに前記購入商品に前記特定商品が含まれない場合、取得した前記商品コードおよびこれによって特定される前記購入商品の単価に基づいて決済処理を行う決済処理手段と、を備えたことを特徴とするＰＯＳ端末。
【請求項８】
請求項１ないし６のいずれか１に記載のＰＯＳシステムの各手段を実現するためのコンピュータ読み取り可能なプログラム。
【請求項９】
少なくとも、販売商品の商品コード、単価、並びに当該販売商品が予め定められた特定商品であるか否かを示す分類コードを管理項目とする商品マスタを記憶及び管理する商品マスタ管理手段、
顧客の購入商品を特定するための商品コードを取得する商品コード取得手段、
前記顧客の身分証明書の情報入力を指示する情報入力指示手段、
前記身分証明書の情報入力を行う情報入力手段、
入力された前記身分証明書の情報を記憶する情報記憶手段、
取得した前記商品コードおよびこれによって特定される前記購入商品の単価に基づいて決済処理を行う決済処理手段、
制御手段、
を備えたＰＯＳシステムにおける決済処理制御方法であって、
前記商品コード取得手段によって前記商品コードを取得する工程と、
前記商品マスタ管理手段を参照し、取得した前記商品コードによって特定される各購入商品の前記分類コードを読み出す工程と、
読み出した前記分類コードに基づき、各購入商品が前記特定商品に該当するか否かを判別する工程と、
前記購入商品が前記特定商品に該当する場合、前記情報入力指示手段によって前記身分証明書の情報入力を指示する工程と、
前記情報入力手段によって前記身分証明書の情報入力が行われた場合、前記情報記憶手段によって当該情報を記憶する工程と、
前記情報入力手段によって前記身分証明書の情報入力が行われた場合、取得した前記商品コードおよびこれによって特定される前記購入商品の単価に基づいて前記決済処理手段による決済処理を行う工程と、
を実行することを特徴とする決済処理制御方法。
【請求項１０】
少なくとも、販売商品の商品コード、単価、並びに当該販売商品が予め定められた特定商品の組み合わせに該当するか否かを示す組み合わせコードを管理項目とする商品マスタを記憶及び管理する商品マスタ管理手段、
顧客の購入商品を特定するための商品コードを取得する商品コード取得手段、
前記顧客の身分証明書の情報入力を指示する情報入力指示手段、
前記身分証明書の情報入力を行う情報入力手段、
入力された前記身分証明書の情報を記憶する情報記憶手段、
取得した前記商品コードおよびこれによって特定される前記購入商品の単価に基づいて決済処理を行う決済処理手段、
制御手段、
を備えたＰＯＳシステムにおける決済処理制御方法であって、
前記商品コード取得手段によって前記商品コードを取得する工程と、
前記商品マスタ管理手段を参照し、取得した前記商品コードによって特定される前記購入商品の前記組み合わせコードを読み出す工程と、
読み出した前記組み合わせコードに基づき、前記購入商品のいずれかが前記特定商品の組み合わせに該当するか否かを判別する工程と、
前記購入商品のいずれかが前記特定商品の組み合わせに該当する場合、前記情報入力指示手段によって前記身分証明書の情報入力を指示する工程と、
前記情報入力手段によって前記身分証明書の情報入力が行われた場合、前記情報記憶手段によって当該情報を記憶する工程と、
前記情報入力手段によって前記身分証明書の情報入力が行われた場合、取得した前記商品コードおよびこれによって特定される前記購入商品の単価に基づいて前記決済処理手段による決済処理を行う工程と、
を実行することを特徴とする決済処理制御方法。
【請求項１１】
前記情報入力指示手段は、前記身分証明書に代えて、前記顧客名義のクレジットカードの情報入力を指示し、
前記情報入力手段によって前記クレジットカードの情報入力を行うと共に、前記決済処理手段によって当該クレジットカードによる決済処理を行うことを特徴とする請求項９又は１０に記載の決済処理制御方法。
【請求項１２】
前記情報入力手段は、前記身分証明書および前記クレジットカードのいずれの情報入力も行い得るように構成されており、
前記制御手段が、
前記身分証明書又は前記クレジットカードのいずれか一方の選択的な情報入力を指示することを特徴とする請求項１１に記載の決済処理制御方法。
【請求項１３】
前記情報入力指示手段は、前記顧客側に向けられた顧客用ディスプレイ、および／または前記ＰＯＳシステムを操作するオペレータ側に向けられたオペレータ用ディスプレイによって構成されており、
前記制御手段が、
前記顧客用ディスプレイおよび／または前記オペレータ用ディスプレイに、前記情報入力の指示内容を表示することを特徴とする請求項９ないし１２のいずれか１に記載の決済処理制御方法。
【請求項１４】
前記ＰＯＳシステムは、
前記購入商品に含まれる前記特定商品の量または数を計数する特定商品計数手段を更に備え、
前記特定商品計数手段によって計数した前記特定商品の量または数が、所定量または所定数を超えているか否かを判別する工程と、
前記購入商品に所定量または所定数を超える特定商品が含まれる場合、前記前記情報入力指示手段によって前記身分証明書の情報入力を指示する工程と、
を更に実行することを特徴とする請求項９ないし１３のいずれか１に記載の決済処理制御方法。
【発明の詳細な説明】
【技術分野】
【０００１】
本発明は、顧客の購入商品に、毒物や劇物に指定された商品などの特定商品が含まれる場合、又は顧客の購入商品のいずれかが、予め定められた特定商品の組み合わせに該当する場合、当該顧客の身分証明書の情報入力を条件として決済処理を行うＰＯＳシステム、ＰＯＳ端末、プログラムおよび決済処理制御方法に関するものである。
【背景技術】
【０００２】
従来、農薬や農業資材等を販売する店舗においては、顧客が購入する購入商品の中に「毒物及び劇物取締法」の第二条で定められる毒物、劇物の他、毒物又は劇物に関連する物質（シンナーや接着剤など）を含む商品（以下、「特定商品」と証する）が含まれている場合、顧客に対し「毒物及び劇物譲受書」という書類の提出を求めるよう義務づけられている。したがって、ＰＯＳ端末を操作するオペレータは、顧客が購入する購入商品の中に特定商品が含まれるか否かを判別する知識が必要となる。しかしながら、全てのオペレータが特定商品を判別する知識を身につけるのは困難であり、しかも特定商品を購入する全ての顧客に対して忘れずに「毒物及び劇物譲受書」の提出依頼を求めることは大きな業務負荷となっていた。
【０００３】
そこで、購入商品の中に特定商品が含まれるか否かを判別し、特定商品が含まれる場合は自動的に「毒物及び劇物譲受書」のフォームを印刷する機能を備えたＰＯＳ端末が提案されている（例えば、特許文献１参照）。このＰＯＳ端末を用いることで、特定商品を購入する全ての顧客に対し、確実に「毒物及び劇物譲受書」の提出依頼を求めることができるため、商品知識を有しないオペレータでも特定商品を取扱うことが可能となった。
【特許文献１】特開平１１−２７２９５６号公報
【発明の開示】
【発明が解決しようとする課題】
【０００４】
ところで、上記の「毒物及び劇物譲受書」には、毒物又は劇物の名称及び数量、販売年月日、譲受人（購入者）の氏名、職業及び住所の記入の他、譲受人の捺印が必要となっている。しかしこれらの記載は、全て譲受人の記載によるため、「氏名欄」に記載された氏名が購入者本人であるか否かは判断がつかない。また捺印についても、偽造印鑑の可能性もあるため、他人になりすまして特定商品を購入されてしまう危険性がある。特に、特定商品を犯罪に用いることを目的として購入する場合、その者が正直に「毒物及び劇物譲受書」に記載するとは考え難く、この書類が犯罪証明記録として効果を発揮するような場面では、むしろ虚偽の記載や偽造印鑑の使用の可能性が高いと想定される。
【０００５】
そこで、本発明は、毒物や劇物に指定された商品などの特定商品を購入する顧客に対し、本人確認を行った上で決済処理を行い得るＰＯＳシステム、ＰＯＳ端末、プログラムおよび決済処理制御方法を提供することを目的とする。
【課題を解決するための手段】
【０００６】
本発明のＰＯＳシステムは、顧客の購入商品に、予め定められた特定商品が含まれる場合、当該顧客の身分証明書の情報入力を条件として決済処理を行うＰＯＳシステムであって、少なくとも、販売商品の商品コード、単価、並びに当該販売商品が特定商品であるか否かを示す分類コードを管理項目とする商品マスタを記憶及び管理する商品マスタ管理手段と、顧客の購入商品を特定するための商品コードを取得する商品コード取得手段と、商品マスタを参照し、取得した商品コードによって特定される各購入商品の分類コードを読み出す分類コード読み出し手段と、読み出した分類コードに基づき、各購入商品が特定商品に該当するか否かを判別する判別手段と、購入商品が特定商品に該当する場合、身分証明書の情報入力を指示する情報入力指示手段と、身分証明書の情報入力を行う情報入力手段と、身分証明書の情報を記憶する情報記憶手段と、身分証明書の情報入力が行われた場合、並びに購入商品に特定商品が含まれない場合、取得した商品コードおよびこれによって特定される購入商品の単価に基づいて決済処理を行う決済処理手段と、を備えたことを特徴とする。
【０００７】
また、本発明のＰＯＳ端末は、顧客の購入商品に、予め定められた特定商品が含まれる場合、当該顧客の身分証明書の情報入力を条件として決済処理を行うＰＯＳ端末であって、少なくとも、販売商品の商品コード、単価、並びに当該販売商品が特定商品であるか否かを示す分類コードを管理項目とする商品マスタを記憶及び管理する商品マスタ管理手段と、顧客の購入商品を特定するための商品コードを取得する商品コード取得手段と、商品マスタを参照し、取得した商品コードによって特定される各購入商品の分類コードを読み出す分類コード読み出し手段と、読み出した分類コードに基づき、各購入商品が特定商品に該当するか否かを判別する判別手段と、購入商品が特定商品に該当する場合、身分証明書の情報入力を指示する情報入力指示手段と、身分証明書の情報入力を行う情報入力手段と、身分証明書の情報を記憶する情報記憶手段と、身分証明書の情報入力が行われた場合、並びに購入商品に特定商品が含まれない場合、取得した商品コードおよびこれによって特定される購入商品の単価に基づいて決済処理を行う決済処理手段と、を備えたことを特徴とする。
【０００８】
また、本発明の決済処理制御方法は、少なくとも、販売商品の商品コード、単価、並びに当該販売商品が予め定められた特定商品であるか否かを示す分類コードを管理項目とする商品マスタを記憶及び管理する商品マスタ管理手段、顧客の購入商品を特定するための商品コードを取得する商品コード取得手段、顧客の身分証明書の情報入力を指示する情報入力指示手段、身分証明書の情報入力を行う情報入力手段、入力された身分証明書の情報を記憶する情報記憶手段、取得した商品コードおよびこれによって特定される購入商品の単価に基づいて決済処理を行う決済処理手段、制御手段、を備えたＰＯＳシステムにおける決済処理制御方法であって、商品コード取得手段によって商品コードを取得する工程と、商品マスタ管理手段を参照し、取得した商品コードによって特定される各購入商品の分類コードを読み出す工程と、読み出した分類コードに基づき、各購入商品が特定商品に該当するか否かを判別する工程と、購入商品が特定商品に該当する場合、情報入力指示手段によって身分証明書の情報入力を指示する工程と、情報入力手段によって身分証明書の情報入力が行われた場合、情報記憶手段によって当該情報を記憶する工程と、情報入力手段によって身分証明書の情報入力が行われた場合、取得した商品コードおよびこれによって特定される購入商品の単価に基づいて決済処理手段による決済処理を行うと工程と、を実行することを特徴とする。
【０００９】
これらの構成によれば、ＰＯＳシステム（ＰＯＳ端末）内に特定商品であるか否かを示す分類コードを管理項目とした商品マスタを記憶しておき、これを参照することによって顧客が購入した購入商品が特定商品に該当するか否かを判別し、その結果購入商品が特定商品に該当する場合、顧客の身分証明書の情報入力を行うため、確実に本人確認を行うことができる。また、購入商品に特定商品が含まれるにも関わらず身分証明書の情報入力が行われない場合（購入者の本人確認を行うことができない場合）は、決済処理を中止するため、他人になりすまして特定商品を購入しようとする者に対する特定商品の販売を阻止することができる。すなわち、身分証明書を提示しない限りは特定商品を購入することができないため、特定商品（例えば、毒物や劇物）を用いるような犯罪を未然に防止することができる。また、入力された身分証明書の情報を記憶することにより、犯罪が起きた場合の犯罪捜査にこれを役立てることができる。
【００１０】
本発明の他のＰＯＳシステムは、顧客の購入商品のいずれかが、予め定められた特定商品の組み合わせに該当する場合、当該顧客の身分証明書の情報入力を条件として決済処理を行うＰＯＳシステムであって、少なくとも、販売商品の商品名、単価、並びに当該販売商品が、特定商品の組み合わせに該当するか否かを示す組み合わせコードを管理項目とする商品マスタを記憶及び管理する商品マスタ管理手段と、顧客の購入商品を特定するための商品コードを取得する商品コード取得手段と、商品マスタを参照し、取得した商品コードによって特定される購入商品の組み合わせコードを読み出す組み合わせコード読み出し手段と、読み出した組み合わせコードに基づき、購入商品のいずれかが特定商品の組み合わせに該当するか否かを判別する判別手段と、購入商品のいずれかが特定商品の組み合わせに該当する場合、身分証明書の情報入力を指示する情報入力指示手段と、身分証明書の情報入力を行う情報入力手段と、身分証明書の情報を記憶する情報記憶手段と、身分証明書の情報入力が行われた場合、並びに購入商品のいずれかが特定商品の組み合わせに該当しない場合、取得した商品コードおよびこれによって特定される購入商品の単価に基づいて決済処理を行う決済処理手段と、購入商品のいずれかが特定商品の組み合わせに該当し、身分証明書の情報入力が行われない場合、決済処理を中止する決済処理中止手段と、を備えたことを特徴とする。
【００１１】
また、本発明の他の決済処理制御方法は、少なくとも、販売商品の商品コード、単価、並びに当該販売商品が予め定められた特定商品の組み合わせに該当するか否かを示す組み合わせコードを管理項目とする商品マスタを記憶及び管理する商品マスタ管理手段、顧客の購入商品を特定するための商品コードを取得する商品コード取得手段、顧客の身分証明書の情報入力を指示する情報入力指示手段、身分証明書の情報入力を行う情報入力手段、入力された身分証明書の情報を記憶する情報記憶手段、取得した商品コードおよびこれによって特定される購入商品の単価に基づいて決済処理を行う決済処理手段、制御手段、を備えたＰＯＳシステムにおける決済処理制御方法であって、商品コード取得手段によって商品コードを取得する工程と、商品マスタ管理手段を参照し、取得した商品コードによって特定される購入商品の組み合わせコードを読み出す工程と、読み出した組み合わせコードに基づき、購入商品のいずれかが特定商品の組み合わせに該当するか否かを判別する工程と、購入商品のいずれかが特定商品の組み合わせに該当する場合、情報入力指示手段によって身分証明書の情報入力を指示する工程と、情報入力手段によって身分証明書の情報入力が行われた場合、情報記憶手段によって当該情報を記憶する工程と、情報入力手段によって身分証明書の情報入力が行われた場合、並びに購入商品のいずれかが特定商品の組み合わせに該当しない場合、取得した商品コードおよびこれによって特定される購入商品の単価に基づいて決済処理手段による決済処理を行うと工程と、購入商品のいずれかが特定商品の組み合わせに該当し、且つ情報入力手段によって身分証明書の情報入力が行われなかった場合、決済処理手段による決済処理を中止する工程と、を実行することを特徴とする。
【００１２】
これらの構成によれば、特定商品の組み合わせに該当するか否かを示す組み合わせコードを管理項目とした商品マスタを記憶しておき、これを参照することによって顧客が購入した購入商品のいずれかが特定商品の組み合わせに該当するか否かを判別し、その結果特定商品の組み合わせに該当する場合、顧客の身分証明書の情報入力を行うため、確実に本人確認を行うことができる。また、購入商品のいずれかが特定商品の組み合わせに該当するにも関わらず身分証明書の情報入力が行われない場合（本人確認を行うことができない場合）は、決済処理を中止するため、他人になりすまして特定商品を購入しようとする者に対する特定商品の販売を阻止することができる。すなわち、身分証明書を提示しない限りは特定商品の組み合わせに該当する商品を購入することができないため、これらを用いるような犯罪を未然に防止することができる。また、入力された身分証明書の情報を記憶することにより、犯罪が起きた場合の犯罪捜査にこれを役立てることができる。さらに、特定商品の組み合わせに該当するか否かを判別するため、個々の商品では身分証明書の情報入力を必要としない商品に対しても規制を加えることができる。なお、「特定商品の組み合わせ」とは、２つの特定商品の組み合わせに限らず、それ以上の数の特定商品によって構成される場合も含むものである。また、「購入商品のいずれかが特定商品の組み合わせに該当する」とは、例えば特定商品の組み合わせが４つの特定商品によって構成される場合、４つの特定商品の組み合わせの中の全てが購入商品であるときはもちろんであるが、４つの特定商品のうち２つのみが購入商品に含まれるときも該当する。但し、１つのみが購入商品に含まれる場合は、これに該当しない。
【００１３】
これらの場合、情報入力指示手段は、身分証明書に代えて、顧客名義のクレジットカードの情報入力を指示し、情報入力手段は、クレジットカードの情報入力を行い、決済処理手段は、クレジットカードの情報に基づいて、当該クレジットカードによる決済処理を行うことが好ましい。
【００１４】
また、これらの場合、情報入力指示手段は、身分証明書に代えて、顧客名義のクレジットカードの情報入力を指示し、情報入力手段によってクレジットカードの情報入力を行うと共に、決済処理手段によって当該クレジットカードによる決済処理を行うことが好ましい。
【００１５】
これらの構成によれば、顧客名義のクレジットカードは当然顧客本人しか使用できないものであるため、これによって確実に本人確認を行うことができる。また、クレジットカードの情報入力を行い、これによって決済処理も行うため、本人確認およびその情報の保存と決済処理とを同時に行うことができる。さらに、クレジットカードにより決済処理を行う場合は、通常与信照会を行うが、これによって紛失届や盗難届が提出されている不審なクレジットカードは利用できなくなるため、本人確認をより確実に行うことができると共に、不審な顧客に対する特定商品の販売を控えることができる。
【００１６】
この場合、情報入力手段は、身分証明書およびクレジットカードのいずれの情報入力も行い得るように構成されており、情報入力指示手段は、身分証明書又はクレジットカードのいずれか一方の選択的な情報入力を指示することが好ましい。
【００１７】
また、この場合、情報入力手段は、身分証明書およびクレジットカードのいずれの情報入力も行い得るように構成されており、制御手段が、身分証明書又はクレジットカードのいずれか一方の選択的な情報入力を指示することが好ましい。
【００１８】
これらの構成によれば、ＰＯＳシステムは身分証明書およびクレジットカードのいずれの情報入力も行い得るように構成されており、身分証明書又はクレジットカードのいずれか一方の選択的な情報入力が指示されるため、オペレータや顧客に対して必要な指示を行うことができると共に、顧客にどちらの情報を提示するかの選択権を与えることができる。
【００１９】
これらの場合、情報入力指示手段は、顧客側に向けられた顧客用ディスプレイ、および／またはＰＯＳシステムを操作するオペレータ側に向けられたオペレータ用ディスプレイに、情報入力の指示内容を表示することによって指示を行うことが好ましい。
【００２０】
また、これらの場合、情報入力指示手段は、顧客側に向けられた顧客用ディスプレイ、および／またはＰＯＳシステムを操作するオペレータ側に向けられたオペレータ用ディスプレイによって構成されており、制御手段が、顧客用ディスプレイおよび／またはオペレータ用ディスプレイに、情報入力の指示内容を表示することが好ましい。
【００２１】
これらの構成によれば、それぞれ顧客側およびオペレータ側に向けられたディスプレイによって、情報入力指示を行うため、顧客は情報の提示が必要となることを、またオペレータは必要となる処理（操作）を視覚的に確認することができる。したがって、騒々しい場所にあっても顧客やオペレータに対して確実に情報入力指示を行い得ると共に、顧客にとっては周囲の人に知られることなく特定商品の購入を行うことができる。
【００２２】
これらの場合、購入商品に含まれる特定商品の量または数を計数する特定商品計数手段と、計数した特定商品の量または数が、所定量または所定数を超えているか否かを判別する第２判別手段と、を更に備え、情報入力指示手段は、第２判別手段の結果、購入商品に所定量または所定数を超える特定商品が含まれる場合、身分証明書の情報入力を指示することが好ましい。
【００２３】
また、これらの場合、ＰＯＳシステムは、購入商品に含まれる特定商品の量または数を計数する特定商品計数手段を更に備え、特定商品計数手段によって計数した特定商品の量または数が、所定量または所定数を超えているか否かを判別する工程と、購入商品に所定量または所定数を超える特定商品が含まれる場合、情報入力指示手段によって身分証明書の情報入力を指示する工程と、を更に実行することが好ましい。
【００２４】
これらの構成によれば、購入商品に特定商品が含まれるか否か、また購入商品のいずれかが特定商品の組み合わせに該当するか否かだけでなく、それら特定商品の量または数が、所定量または所定数を超えているか否かを判別し、超えている場合に身分証明書の情報入力を指示するため、例えば少量であれば特に問題とならない特定商品（アルコールや石油など）の場合には、身分証明書の情報入力を必要としないなど、適切な処理を行うことができる。すなわち、特定商品であるか、また特定商品の組み合わせであるかに応じて一辺倒に身分証明書の提示を求めるのではなく、特定商品であっても常識的に用いられることが想定される場合は提示を必要としないことで、常識的に対応することができる。
【００２５】
本発明のプログラムは、上記のいずれか１に記載のＰＯＳシステムの各手段を実現するためのものであってコンピュータ読み取り可能であることを特徴とする。
【００２６】
この構成によれば、毒物や劇物に指定された商品などの特定商品を購入する顧客に対し、本人確認を行った上で決済処理を行い得るＰＯＳシステムを実現するためのプログラムを提供することができる。
【発明の効果】
【００２７】
本発明のＰＯＳシステム、ＰＯＳ端末、プログラムおよび決済処理制御方法によれば、顧客が購入した購入商品が、予め定められた特定商品に該当するか否かを判別し、その判別結果に基づいて購入商品が特定商品に該当する場合、顧客の身分証明書の情報入力を必要とするため、確実に本人確認を行った上で特定商品の決済処理を行うことができる。したがって、特定商品を用いるような犯罪の未然防止に役立てることができる。
【発明を実施するための最良の形態】
【００２８】
以下、本発明の一実施形態に係るＰＯＳシステム、ＰＯＳ端末、プログラムおよび決済処理制御方法について、添付図面を参照しながら詳細に説明する。本発明は、各販売商品が毒物や劇物に指定された商品などの特定商品（図１１参照）に該当するか否かを示す分類コードを管理項目とした商品マスタを予め装置内に記憶しておき、これを参照することによって顧客が購入した購入商品のそれぞれが特定商品に該当するか否かを順次判別し、購入商品が特定商品に該当すると判別した場合、顧客の身分証明書やクレジットカードの情報入力を条件として決済処理を行うことにより、特定商品の販売を行う際、確実に本人確認を行うことができるものである。
【００２９】
そこで、以下、飲食店や小売店等の店舗にて利用されるＰＯＳ端末並びにこれに適用される複合処理装置（身分証明書やクレジットカードの画像読み取りの他、クレジットカードの磁気データの読み取りなどクレジットカード処理装置としての機能、小切手画像読み取りや磁気データの読み取りおよび小切手への印刷など小切手処理装置としての機能、並びにレシート印刷装置としての機能を備えた装置）を例に挙げて説明する。また、併せて当該ＰＯＳ端末を備えたＰＯＳシステムについて説明する。
【００３０】
図１および図２に示すように、本発明のＰＯＳ端末５は、オペレータによって商品コードが入力され、決済金額を算出するＰＯＳ端末コンピュータ６０と、身分証明書（以下、「免許証ＬＣ」を例に挙げて説明する）の画像読み取りの他、クレジットカードＣＣ、小切手（スリップ）ＳおよびレシートＲの印刷に関する種々の処理を行う複合処理装置１０とによって構成されている。
【００３１】
ＰＯＳ端末コンピュータ６０は、本体ケース６１と、オペレータによるキー入力のためのキーボード６２と、商品に貼付または印刷されているバーコードを読み取ることにより商品コードを入力するバーコードリーダ６５と、入力された商品コードに対応する商品の金額の他、複合処理装置１０により読み取られた免許証ＬＣやクレジットカードＣＣ表面の画像データ等を表示する表示画面６３（オペレータ用ディスプレイ６３ａ，顧客用ディスプレイ６３ｂ）と、金銭（キャッシュ）が収納されるキャッシュドロア６４とを備え、ネットワーク７５を介してＰＯＳサーバ７０と接続されている。
【００３２】
ＰＯＳサーバ７０は、複数のＰＯＳ端末５（３つのみ図示）と接続され、ＰＯＳ端末コンピュータ６０に入力された商品情報（商品コード、数量、割引率、値引き額等を含む）や在庫情報の一括管理を行っている。具体的には、データベース７１内に予め記憶している商品マスタ２０（ＰＬＵリスト）を、その更新毎にＰＯＳ端末５に対して提供すると共に、ＰＯＳ端末コンピュータ６０から決済処理結果に関する情報を取得して、売り上げの管理を行う。ＰＯＳ端末コンピュータ６０は、入力された商品情報を取得すると共にＰＯＳサーバ７０から送信された商品マスタ２０（図９参照）に基づいて、商品コード、商品名、単価の他、特定商品（図１１参照）に該当するか否かを示す分類コードに関する情報を抽出する。
【００３３】
そして、ＰＯＳ端末コンピュータ６０は、抽出した情報のうち、分類コードに基づいて、クレジットカードＣＣ又は免許証ＬＣの提示依頼を指示するなどの必要な処理を行う。また、抽出した情報のうち、商品コード、商品名および単価に基づいて、後述するレシートＲへの印刷および表示画面６３の表示に用いる商品データを生成し、これを複合処理装置１０に送信すると共に、表示画面６３に表示する。なお、ＰＯＳ端末コンピュータ６０内ではなくＰＯＳサーバ７０内（データベース７１内）に商品マスタ２０を格納しておき、ＰＯＳサーバ７０がＰＯＳ端末５から商品情報を取得して必要な処理を指示すると共に、レシートＲへの印刷および表示画面６３の表示に用いる商品データを生成し、これをＰＯＳ端末５に送信する構成としても良い。すなわち、商品マスタ２０は、サーバ７０に置いたまま、ＰＯＳ端末コンピュータ６０からアクセスする構成であっても良い。
【００３４】
なお、「特定商品」とは、「毒物及び劇物取締法」の第二条で定められる毒物、劇物、特定毒物に該当する商品はもちろん、図１１に示すように、薬品、溶剤、刃物、農機具、危険アイテム、雑誌、ビデオ、ＤＶＤ、燃料など、犯罪で利用される可能性が高いもの、誤った使用方法により怪我等の恐れがあるもの、使用に際して専門的な知識を必要とするものなど、人体に対して危険を及ぼす可能性のあるものを指す。また、これ以外であっても、各店舗で販売の際の規制が必要であると判断した商品も含むものである。したがって、例えばペットショップで利用される場合は、危険性の高いペットの購入に対して規制を加えるように設定することも可能である。
【００３５】
ＰＯＳ端末コンピュータ６０は、ネットワーク（インターネット）７５を介して、クレジットカードＣＣの与信照会を行う与信照会サーバ８０や小切手Ｓの有効性を認証するための決済処理サーバ９０と接続されている。与信照会サーバ８０は、カード会社やクリアリングハウス（複数のカード会社と契約して、信用調査、与信調査を行う機関）によって運営され、複合処理装置１０によって読み取られたクレジットカードＣＣの磁気データやカード番号等のカード情報に基づいて、紛失届や盗難届が出されていないか等の信用調査を行い、与信審査の結果をＰＯＳ端末コンピュータ６０に返信する。また、決済処理サーバ９０は、複合処理装置１０によって読み取られた小切手ＳのＭＩＣＲコードに関する情報に基づいて、当該小切手Ｓの有効性を判別し、その判断結果をＰＯＳ端末コンピュータ６０に返信する。
【００３６】
一方、複合処理装置１０は、図示しないコネクタを介してＰＯＳ端末コンピュータ６０と接続されており、クレジットカードＣＣ又は免許証ＬＣの画像読み取りおよび磁気データ読み取り、小切手Ｓの画像読み取り、磁気データ読み取りおよび印刷など、種々の処理を１台で行い得るよう構成されている。したがって、ＰＯＳ端末コンピュータ６０にこの複合処理装置１０を接続するだけで、クレジットカードＣＣや小切手Ｓの一連の処理が可能なＰＯＳ端末５を実現することができる。
【００３７】
図２に示すように、複合処理装置１０は、ロール状に巻回されたレシート紙Ｒを収容するレシート収容部３０およびレシート紙Ｒへの印刷を行うレシート印刷部１４０等を備えた背面側筐体部１１と、背面側筐体部１１の正面側に設けられ、当該背面側筐体部１１との間に小切手搬送路２１を画成する正面側筐体部１２と、背面側筐体部１１の上面側を覆うように取り付けられ、クレジットカードＣＣ又は免許証ＬＣの表面画像を読み取るクレジットカード・免許証画像読取部４０およびクレジットカードＣＣの磁気ストライプ部分を読み取るクレジットカード磁気データ読取部５０等を収容する上面蓋体部１３とが一体形成されている。
【００３８】
正面側筐体部１２は、小切手搬送路２１を介して背面側筐体部１１から隔てられた正面側カバー１２ａと、正面側カバー１２ａを片支持状態で保持する正面側側部１２ｂとによって構成され、正面側カバー１２ａ下部に開口した小切手挿入口２１ａから小切手Ｓが挿入可能となっている。
【００３９】
小切手搬送路２１には、小切手Ｓが挿入される小切手挿入口２１ａ、小切手Ｓに予め磁気インクで印刷された磁気コード（ＭＩＣＲコード）を読み取る小切手磁気データ読取部（ＭＩＣＲ：Magnetic Ink Character Reader）１１０、小切手Ｓの表面および裏面の画像を読み取る小切手画像読取部１２０、小切手Ｓに決済金額や店舗情報を印刷する小切手印刷部１３０、小切手Ｓが排出される小切手排出口２１ｂの他、図示しない複数の搬送ローラが設けられており、小切手Ｓはこれらの搬送ローラによって各部に搬送されながら各種処理が行われる。
【００４０】
また、上面蓋体部１３には、クレジットカードＣＣや免許証ＬＣの表面画像を読み取るクレジットカード・免許証画像読取部４０、クレジットカードＣＣの磁気ストライプ部分を読み取るクレジットカード磁気データ読取部５０（ＭＳＲ）の他、複数の搬送ローラ４３，４５，４６（図３参照）が設けられており、クレジットカードＣＣ又は免許証ＬＣがこれらの搬送ローラ４３，４５，４６によって各部に搬送されながら、各種処理が行われる。また、これらの搬送ローラ４３，４５，４６は前後に搬送可能（正逆回転可能）に構成され、クレジットカード・免許証画像読取部４０による画像読み取りは後方搬送時（図３において左側搬送時）に行われる。なお、クレジットカードＣＣおよび免許証ＬＣの画像読み取り処理、およびクレジットカードＣＣの磁気データ読み取り処理の詳細については後述する。
【００４１】
次に、図３を参照し、レシート搬送路３５廻りの各部材について説明する。レシートＲは、巻回された状態でレシート収容部３０に収容されており、当該レシート収容部３０から繰り出されたレシートＲは、背面側筐体部１１と上面蓋体部１３との間に形成されたレシート搬送路３５に沿ってレシート排出口３５ａへ向け送り出される。
【００４２】
レシート搬送路３５には、サーマル印刷ヘッド３３およびこれを押圧するプラテンローラ３２が臨んでおり、プラテンローラ３２による搬送に伴ってサーマル印刷ヘッド３３によりレシートＲへの印刷が行われる。印刷後のレシート紙Ｒは、サーマル印刷ヘッド３３およびプラテンローラ３２の上方に配置されたオートカッタ３４によって適当な長さに切断され、レシート排出口３５ａから排出される。オートカッタ３４は、レシート搬送路３５の一方側に配置された固定刃３４ａと、レシート搬送路３５の他方側であって固定刃３４ａに対応する位置に配置された可動刃３４ｂとを有しており、可動刃３４ｂが、レシート搬送路３５に向かって図示Ａの方向に移動することにより、レシートＲが固定刃３４ａとの間に挟み込まれ、切断される。
【００４３】
一方、上面蓋体部１３の下部には、主要骨格を成すフレーム５１が設けられ、当該フレーム５１は、ヒンジ部５２を介して背面側筐体部１１に設けられた固定部５３に対して回動可能に構成されている。また、これにより上面蓋体部１３がレシート収容部３０に対して開閉動作可能に構成され、レシートＲの交換時は、上面蓋体部１３が開かれて、巻回された状態のレシート紙Ｒがレシート収容部３０に投入・装填される。
【００４４】
続いて、図３、図４および図５を参照し、クレジットカード・免許証画像読取部４０およびクレジットカード磁気データ読取部５０廻りの各部材について説明する。図３に示すように、クレジットカード・免許証画像読取部４０およびクレジットカード磁気データ読取部５０は、上面カバー１３ａと、レシート収容部３０との間に設けられ、ＰＯＳ端末５を操作するオペレータによって、クレジットカードＣＣ又は免許証ＬＣがカード挿入口４１ａから挿入されることにより、画像読み取りおよび磁気データの読み取りを行う。なお、クレジットカードＣＣの処理を行う場合は、磁気データの読み取り後画像読み取りが行われ、免許証ＬＣの処理を行う場合は、磁気データの読み取りを省略し、画像読み取りのみが行われることとなるが、画像読み取りを行うための搬送制御は同様であるため、ここではクレジットカードＣＣの処理についてのみ説明する。
【００４５】
図３に示すように、カード挿入口４１ａの手前側には、クレジットカードＣＣの挿入をガイドするテーブル１３ｂが形成され、オペレータはこのテーブル１３ｂに沿ってクレジットカードＣＣを挿入する。また、カード挿入口４１ａに隣接した上面カバー１３ａには、クレジットカードＣＣの画像読み取り動作および磁気データ読み取り動作に関する情報を報知するためのＬＥＤ表示部１６が設けられている。
【００４６】
ＬＥＤ表示部１６は、クレジットカードＣＣの状態に基づいて点灯するカード状態ＬＥＤ１６ａと、クレジットカードＣＣの搬送状態に基づいて点灯する搬送状態ＬＥＤ１６ｂとから成り、前者はクレジットカードＣＣの挿入または排出の検出結果やクレジットカードＣＣの表面画像データおよび磁気データの読み取り状態に応じて点灯し、後者はクレジットカードＣＣの搬送エラーがあった場合に点灯する。
【００４７】
クレジットカード・免許証画像読取部４０およびクレジットカード磁気データ読取部５０は、それぞれスキャナヘッド４４および磁気ヘッド５８によってその主要部が構成され、カード搬送路４１に沿ってカード挿入口４１ａ側から、磁気ヘッド５８、スキャナヘッド４４の順に配置されている。クレジットカードＣＣは、挿入後、複数の搬送ローラ４３，４５，４６の順方向の送りによって磁気データの読み取りが行われ、所定位置まで搬送された後、搬送ローラ４３，４５，４６の逆方向の送りによって画像読み取りが行われる。
【００４８】
複数の搬送ローラ４３，４５，４６は、カード搬送路４１の上面側に配置され、モータ９０（図６参照）によって駆動される第１送りローラ４３ａおよび第２送りローラ４６ａと、カード搬送路４１の下面側に配置された第１押さえローラ４３ｂ、押しつけローラ４５および第２押さえローラ４６ｂとから成り、第１送りローラ４３ａおよび第１押さえローラ４３ｂによって搬送されたクレジットカードＣＣは、磁気ヘッド５８に臨んだ後、スキャナヘッド４４と押しつけローラ４５の間に送られる。また、第２送りローラ４６ａおよび第２押さえローラ４６ｂは、スキャナヘッド４４の下流側に配置されている。
【００４９】
磁気ヘッド５８は、クレジットカードＣＣ裏面（下面）に磁気記録された磁気データ情報を読み取るためのもので、クレジットカードＣＣに設けられている磁気ストライプ部分に対応する位置に設けられている。なお、カード搬送路４１の上面側にも磁気ヘッド５８を配置し、複数の規格のクレジットカードＣＣの磁気データを読み取り可能に構成しても良い。また、磁気ヘッド５８で読み取られた磁気データは、カード会社が運営する与信照会サーバ８０に送信され、与信照会が行われる。
【００５０】
スキャナヘッド４４は、押しつけローラ４５によってスキャナヘッド４４の読み取り面４４ａにカード厚に応じた押しつけ力によって押しつけられた状態で、カード搬送路４１を搬送されるクレジットカードＣＣの上面に光を照射し、クレジットカードＣＣ上で反射した光を読み取り面４４ａで受光することによって、クレジットカードＣＣの表面に印刷された文字や画像、エンボス部分を読み取る。読み取り面４４ａ側には、図示しない複数の光電変換素子が長手方向（カード搬送方向に垂直な方向）に一列に配列されており、各光電変換素子は受光した光量に応じた電気信号を生成する。
【００５１】
なお、クレジットカードＣＣが挿入された場合に限るが、スキャナヘッド４４で読み取られた画像データは、磁気ヘッド５８によって正常に読み取りが行われなかった場合にＯＣＲ処理され、エンボス部分のデータに基づいてカード番号等のカード情報が抽出される。そして、当該カード情報に基づいて与信紹介が行われる。したがって、磁気ヘッド５８によって正常に読み取りが行われなかった場合のみ、スキャナヘッド４４による画像読み取りを行い、正常に読み取りが行われた場合は画像読み取りを省略するように構成しても良い。
【００５２】
第１押さえローラ４３ｂ、押しつけローラ４５および第２押さえローラ４６ｂは、カード搬送路４１とレシート収容部３０との間に配置された内部カバー４２に回転可能に支持されており、当該内部カバー４２は、ヒンジ部５５を介して、上面蓋体部１３からカード搬送方向に略垂直に立設されたガイド壁５４，５４（図５参照）に回動自在に取り付けられている。ヒンジ部５５は、内部カバー４２の背面側に設けられており、上面蓋体部１３が開かれた状態で、上方に向けられた内部カバー４２の正面側が複合処理装置１０の正面側に向かって引き出されて、複合処理装置１０の正面側からカード搬送路４１の各種部材がメンテナンス可能となっている。
【００５３】
また、内部カバー４２が取り付けられたガイド壁５４，５４は、図５に示すように、カード搬送路４１内に挿入されたクレジットカードＣＣの挿入方向を案内するガイド部材となる。例えば、クレジットカードＣＣがカード搬送方向に対して少し斜めに挿入された場合は、第１送りローラ４３ａおよび第２送りローラ４６ａによって搬送されながら、ガイド壁５４，５４のいずれか一方の壁面に当接して案内されることにより、クレジットカードＣＣの挿入方向が曲げられ、クレジットカードＣＣの搬送方向がカード搬送方向に揃うようになる。これにより、クレジットカードＣＣは、その挿入方向が正常なカード搬送方向に対して少し角度を持っていた場合でも、ガイド壁５４，５４にガイドされ搬送方向を修正しながら搬送されていく。
【００５４】
この搬送方向の修正は、第１送りローラ４３ａおよび第２送りローラ４６ａ等によって、カード挿入口４１ａから張り出し開口４１ｂに向かって順方向に搬送されて、クレジットカードＣＣが完全にスキャナヘッド４４を通過するまでの間に行われる。そして、クレジットカードＣＣは、完全にスキャナヘッド４４を通過した後にスキャナヘッド４４の読み取り面４４ａに逆方向に搬送され、画像読み取りが行われる。これにより、スキャナヘッド４４は、常にクレジットカードＣＣの向きが揃った状態で、クレジットカードＣＣの表面画像の読み取りを行うことができる。
【００５５】
また、図５に示すように、カード搬送路４１のカード挿入口４１ａ近傍には、カード検出器４８が設けられている。このカード検出器４８は、クレジットカードＣＣの挿入を検出するセンサであり、カード検出器４８の出力に基づいて第１送りローラ４３ａおよび第２送りローラ４６ａが駆動開始される。すなわち、クレジットカードＣＣの挿入がトリガとなって、カード搬送路４１内でのカード送り動作が開始される。
【００５６】
ここで、クレジットカードＣＣと免許証ＬＣの幅方向長さ（図５において横方向の長さ）が異なる場合の処理について簡単に説明する。上記の通り、カード挿入口４１ａからは、クレジットカードＣＣ又は免許証ＬＣの両方が挿入可能であり、スキャナヘッド４４も両方の画像を読み取り可能に構成されているが、クレジットカードＣＣと免許証ＬＣの幅方向長さが異なる国や州で複合処理装置１０が利用される場合、挿入されたカードに応じてガイド壁５４，５４の位置を修正する必要がある。
【００５７】
そこで、クレジットカードＣＣと免許証ＬＣの幅方向長さが異なる場合は、図５の二点鎖線部２００に示すように、両ガイド壁５４，５４が幅方向に移動可能に構成されることが好ましい。すなわち、カード搬送路４１の中心点から逆ねじで螺設されたリードねじ２１０を、磁気ヘッド５８やスキャナヘッド４４から外れた位置に配設し、その両端付近にモータ２３０により回転駆動される雌ねじ２２０，２２０を係合させる。そして、雌ねじ２２０，２２０の回転方向によって両ガイド壁５４，５４を矢印Ｂ，Ｃ方向に移動することで幅狭のカードが挿入されたときもガイド壁５４，５４により適切にガイド可能となる。この構成によれば、簡易な構成で幅方向の長さの異なる複数のカードの画像読み取りを正確に行うことができる。
【００５８】
次に、図６および図７を参照し、ＰＯＳ端末５の制御構成について説明する。上記の通り、ＰＯＳ端末５は、複合処理装置１０とＰＯＳ端末コンピュータ６０とにより構成されている。図５に示すように、複合処理装置１０は、クレジットカードＣＣ又は免許証ＬＣの挿入を検出するカード検出器４８と、カード搬送路４１近傍に配設された複数の搬送ローラ４３，４５，４６と、これら複数の搬送ローラのうち、送りローラ４３ａ，４６ａを駆動するモータ９０と、磁気ヘッド５８を有しクレジットカードＣＣの磁気データを読み取るクレジットカード磁気データ読取部５０と、スキャナヘッド４４を有しクレジットカードＣＣや免許証ＬＣの表面画像を読み取るクレジットカード・免許証画像読取部４０と、小切手ＳのＭＩＣＲコードを読み取る小切手磁気データ読取部１１０と、小切手Ｓの表面および裏面の画像を読み取る小切手画像読取部１２０と、小切手Ｓの表面および裏面に決済金額や店舗情報を印刷する小切手印刷部１３０と、レシートＲ上に決済処理結果等を印刷するレシート印刷部１４０と、ＯＣＲ１５１を有しスキャナヘッド４４で読み取ったクレジットカードＣＣの画像データからカード番号を抽出するカード情報抽出部１５０と、磁気ヘッド５８で読み取った磁気データ、スキャナヘッド４４で読み取った画像データ、ＯＣＲ１５１で抽出したカード番号等を記憶するメモリ１６０と、上記の各構成要素を制御する制御部１７０と、によって構成されている。
【００５９】
制御部１７０は、後述するＰＯＳ端末コンピュータ６０から、クレジットカードＣＣ又は免許証ＬＣの画像読み取り指示（情報入力指示）が為されると、カード検出器４８によるクレジットカードＣＣや免許証ＬＣの挿入検出に基づいて、モータ９０により搬送ローラ４３ａ，４６ａを駆動し、カードＣＣ，ＬＣの搬送を開始する。クレジットカードＣＣの場合は、搬送ローラ４３ａ，４６ａの正回転によりクレジットカードＣＣを磁気ヘッド５８に臨む位置まで搬送すると、磁気ヘッド５８により磁気データの読み取りを行った後、クレジットカードＣＣが完全にスキャナヘッド４４を通過する位置まで搬送し、今度は搬送ローラ４３ａ，４６ａを逆回転させて逆送り方向にクレジットカードＣＣを搬送する。また、免許証ＬＣの場合は、免許証ＬＣが完全にスキャナヘッド４４を通過する位置まで搬送し、搬送ローラ４３ａ，４６ａを逆回転させて逆送り方向に搬送する。
【００６０】
制御部１７０は、逆送り方向への搬送によりカードＣＣ，ＬＣをスキャナヘッド４４に臨ませると、今度はカードＣＣ，ＬＣの表面画像の読み取りを行う。また、クレジットカードＣＣの場合は、上記の工程で磁気データの読み取りが正常に行われなかったとき、ＯＣＲ１５１によりスキャナヘッド４４で読み取った画像データからカード番号の抽出を行う。そして、読み取ったクレジットカードＣＣ又は免許証ＬＣの画像データ、磁気データ、ＯＣＲ処理結果等を、一時的にメモリ１６０内に保存した後、画像データ、磁気データまたはＯＣＲ処理結果を適宜ＰＯＳ端末コンピュータ６０に送信する。
【００６１】
一方、ＰＯＳ端末コンピュータ６０は、商品コードを取得するバーコードリーダ６５と、各種指示を入力するキーボード６２、複合処理装置１０から送信された画像データやオペレータに対する指示内容等を表示する表示画面６３と、ＰＯＳサーバ７０から送信された商品マスタ２０を記憶すると共に、複合処理装置１０から送信された磁気データや画像データを一時的に記憶するメモリ６６（ＲＯＭ、ＲＡＭ等によって構成される）と、ＰＯＳ端末コンピュータ６０全体を制御する制御部６７と、によって構成されている。
【００６２】
制御部６７は、バーコードリーダ６５によって、顧客の購入商品を特定するための商品コードが入力されると、メモリ６６内の商品マスタ２０を参照して、その商品コードの分類コードを読み出し、当該分類コードに基づいて、購入商品が特定商品に該当するか否かを判別する。そして、特定商品に該当する場合は、表示画面６３にオペレータや顧客に対する指示内容を表示する（図１０参照）と共に、複合処理装置１０に対してクレジットカードＣＣ又は免許証ＬＣの読み取りを指示し、決済処理を行う。また、特定商品が含まれる場合であって、顧客からクレジットカードＣＣ又は免許証ＬＣが提示されなかった場合は、決済処理を中止すると共に表示画面６３にその旨を表示する。
【００６３】
また、制御部６７は、商品マスタ２０から、分類コード以外にも商品名や単価に関する情報を読み出し、一時的にメモリ６６内のＲＡＭ等に格納した後、表示画面６３に表示するための表示データやレシートＲとして印刷するための印刷データとしてこれらの情報を用いる。さらに、単価に関する情報は決済処理における清算金額の算出に利用する。
【００６４】
また、制御部６７は、複合処理装置１０で読み取った磁気データや画像データが送信された場合、これをメモリ６６内に一旦記憶し、磁気データ情報を与信照会サーバ８０に送信して与信照会を行う。また、複合処理装置１０で抽出したカード番号が送信された場合（磁気データの読み取りが正常に行われなかった場合）も、これをメモリ６６内に一旦記憶し、カード会社やクリアリングハウスが運営する与信照会サーバ８０に送信して与信照会を行う。さらに、制御部６７は、決済処理後、メモリ６６内に一時的に格納されていた画像データをＰＯＳサーバ７０に送信する。ＰＯＳサーバ７０は、これをデータベース７１に格納し、特定商品を用いた犯罪が行われた場合の犯罪証明記録として用いる。
【００６５】
次に、図７を参照し、ＰＯＳ端末５の機能ブロック図について説明する。ここでは、複合処理装置１０およびＰＯＳ端末コンピュータ６０を区別せず、全てＰＯＳ端末５に含まれるものとして、各構成要素を説明する。同図に示すように、ＰＯＳ端末５は、入力された商品コードを取得する商品コード取得手段５１０と、商品コード、商品名、単価の他、特定商品であるか否かを示す分類コードを管理項目とする商品マスタ２０を記憶及び管理する商品マスタ管理手段５２０と、入力された商品情報によって特定される購入商品の分類コードを順次読み出す分類コード読み出し手段５３０と、読み出した分類コードに基づいて購入商品が特定商品に該当するか否かを読み出し順に判別する判別手段５４０と、購入商品が特定商品に該当すると判別したとき、顧客名義のクレジットカードＣＣ又は顧客自身の免許証ＬＣの情報入力（画像読み取り）を指示する情報入力指示手段５５０と、情報入力指示にしたがってクレジットカードＣＣ又は免許証ＬＣの情報入力を行う情報入力手段５６０と、入力された情報（クレジットカードＣＣ又は免許証ＬＣの画像データ）を記憶する情報記憶手段５７０と、情報入力手段５６０によって情報入力が行われた場合、並びに判別手段５４０によって購入商品に特定商品が含まれないと判別された場合、取得した商品情報およびこれによって特定される購入商品の単価（商品マスタ２０を参照して取得する）に基づいて決済処理を行う決済処理手段５８０と、購入商品に特定商品が含まれており、且つ情報入力が行われない場合（顧客からクレジットカードＣＣ又は免許証ＬＣが提示されない場合）、決済処理手段５８０による決済処理を中止する決済処理中止手段５９０と、上記の各手段を統括制御する制御手段５００と、によって構成されている。
【００６６】
ここで、商品コード取得手段５１０はバーコードリーダ６５を主構成要素とし、商品マスタ管理手段５２０および情報記憶手段５７０はメモリ６６，１６０を主構成要素とし、情報入力手段５６０は、クレジットカード・免許証画像読取部４０（スキャナヘッド４４）を主構成要素としている。分類コード読み出し手段５３０、判別手段５４０、情報入力指示手段５５０、判別手段５４０、決済処理手段５８０、決済処理中止手段５９０は、主に制御部６７によって構成されている。
【００６７】
また、制御手段５００は、ＰＯＳサーバ７０のデータベース７１内に格納されている商品マスタ２０の情報を取得して、これを商品マスタ管理手段５２０に記憶すると共に、ＰＯＳサーバ７０から商品マスタ２０の更新毎に送信される商品マスタ２０の更新データ、若しくは更新後の商品マスタ２０の情報に基づいて、適宜商品マスタ管理手段５２０に記憶された情報の更新を行う。
【００６８】
また、制御手段５００は、情報入力手段５６０によってクレジットカードＣＣの情報入力が行われた場合（顧客がクレジットカードＣＣを提示した場合）、決済処理手段５８０によって当該クレジットカードＣＣを用いた決済処理を行う。また、この場合は、当該クレジットカードＣＣのカード情報を与信紹介サーバ８０に送信し、審査が下りない場合は、決済処理を中止する。
【００６９】
ここで、図８のフローチャート、図９の「商品マスタ１」、図１０の表示画面６３ａ，６３ｂの表示例を参照して、本発明の決済処理制御方法について説明する。本発明の決済処理制御方法では、図８のフローチャートに示すトランザクションの前、すなわち決済処理の終了時から決済処理の開始時まで、顧客側に向けられた顧客用ディスプレイ６３ｂ上に、図１０（ａ）に示すような内容（特定商品の購入には、「毒物及び劇物譲受書」の提出、クレジットカードＣＣによる決済又は免許証ＬＣの提示が必要である旨）を表示しておく。
【００７０】
そして、図８に示すように、オペレータによるバーコードリーダ６５の操作により、ＰＯＳ端末コンピュータ６０が商品コードを取得すると（Ｓ１１）、これが最初の特定商品に該当するか否か（このトランザクションの中で最初に取得した特定商品であるか否か）を判別する（Ｓ１２）。この判別は、図９に示す商品マスタ２０を参照して行われ、例えば取得した商品コードにより顧客が購入した購入商品が「商品コード：0001」の商品「○○農薬」であることを特定すると、この商品「○○農薬」の分類コード「１」を読み出す。ここで、分類コード「１」とは、図１１に示す特定商品の分類が「１．薬品」であることを意味するため、当該商品「○○農薬」は特定商品に該当すると判断する。一方、取得した商品コードにより顧客が購入した購入商品が「商品コード：0002」の商品「電卓」である場合は、分類コードが「０」であるため、当該商品は特定商品に該当しないと判断する。すなわち、商品マスタ２０から分類コード「０」以外を読み出した場合は、その商品は特定商品に該当すると判断する。
【００７１】
ここで、商品コードによって特定される購入商品が特定商品であると判別した場合は（Ｓ１２：Ｙｅｓ）、オペレータ側に向けられたオペレータ用ディスプレイ６３ａに、図１０（ｂ）に示す内容（クレジットカードＣＣによる決済又は免許証ＬＣの提示依頼が必要である旨）を表示する（Ｓ１３）。また、同時に、顧客側に向けられた顧客用ディスプレイ６３ｂには、図１０（ｃ）に示す内容（クレジットカードＣＣによる決済又は免許証ＬＣの提示が必要である旨）を表示する。なお、特に図示しないが、オペレータ用ディスプレイ６３ａおよび顧客用ディスプレイ６３ｂには、ここに示す内容の他、取得した商品コードに基づき、商品名や単価が表示される。
【００７２】
ここで、顧客から免許証ＬＣが提示された場合は（Ｓ１４：免許証）、オペレータのキーボード操作による「免許証」キーの押下により、ガイド壁５４，５４（図５参照）が適切な位置に移動する。そして、オペレータが免許証ＬＣを複合処理装置１０のカード挿入口４１ａに挿入すると、スキャナヘッド４４により免許証表面の画像を読み取り（Ｓ１５）、その読み取り結果から生成した画像データをＰＯＳ端末コンピュータ６０が取得し、トランザクション番号（取引番号）とを関連づけて、メモリ６６内に一旦格納する（Ｓ１６）。なお、これらのデータは、決済処理終了後、決済処理結果と共にＰＯＳサーバ７０に送信し、データベース７１に保存させる。
【００７３】
一方、顧客からクレジットカードＣＣが提示された場合は（Ｓ１４：クレジット）、オペレータのキーボード操作による「クレジット」キーの押下により、ガイド壁５４，５４が適切な位置に移動すると共に、メモリ６６内にクレジットフラグをセットする（Ｓ１７）。そして、オペレータがクレジットカードＣＣを複合処理装置１０のカード挿入口４１ａに挿入すると、一連のクレジットカード処理（磁気ヘッド５８による磁気データの読み取り、スキャナヘッド４４による画像データの読み取り、取得したカード情報に基づく与信照会）を実行する（Ｓ１８）。なお、特に図示しないが、与信照会の結果、審査が下りなかった場合は決済処理を中止する。
【００７４】
また、顧客からクレジットカードＣＣ又は免許証ＬＣのいずれも提示されなかった場合は（Ｓ１４：Ｎｏ）、決済処理を中止し（Ｓ１９）、顧客用ディスプレイ６３ｂに、図１０（ｄ）に示す内容（購入商品名：○○○○の取引を中止する旨）を表示する。ここで、「購入商品名」とは、最初の特定商品に該当する購入商品の名称を指すものである。
【００７５】
ところで、顧客の購入商品が特定商品に該当すると判別した場合（Ｓ１２：Ｙｅｓ）は、上記の通り、（Ｓ１３）〜（Ｓ１９）の工程を実行することとなるが、これはトランザクションの中で最初に特定商品であると判別した場合のみであり、２回目以降は、そのまま商品コードの取得を続行する。すなわち、購入商品の中に特定商品が含まれている場合は、（Ｓ１３）〜（Ｓ１９）の工程を１回だけ実行することとなる。
【００７６】
ここで、オペレータによるキーボード６２の操作により、「入力終了」キーが押下され、商品コードの取得が終了したと判断すると（Ｓ２０：Ｙｅｓ）、入力された商品コードおよびこれによって商品マスタ２０から特定される購入商品の単価に基づいて決済処理を行う（Ｓ２１）。ここでは、（Ｓ１７）においてクレジットフラグがセットされている場合、読み取ったカード情報に基づいて、クレジットカード決済が行われる。そして、決済処理結果を、レシート印刷部１４０によって印刷することでレシートＲを発行し（Ｓ２２）、決済処理を終了する。
【００７７】
なお、フローチャート上には特に図示しないが、顧客が購入した購入商品に特定商品が含まれる場合、オペレータは「毒物及び劇物譲受書」の提出を求め（図１０（ｃ）参照）、これが提出されない場合も、オペレータによる判断・指示によって決済処理を中止する。したがって、本発明のＰＯＳ端末５は、決済処理の途中又は決済処理後にも、決済処理をキャンセル可能に構成されている。なお、法律によって、クレジットカードＣＣ又は免許証ＬＣの提示が「毒物及び劇物譲受書」の提出に代えられることとなった場合、または「毒物及び劇物譲受書」の提出が規定されていない国や自治体においては、「毒物及び劇物譲受書」の提出指示（表示画面６３による指示）を行わないように構成することも可能である。
【００７８】
このように、本発明の決済処理制御方法によれば、顧客が購入した購入商品が特定商品に該当するか否かを判別し、その結果購入商品が特定商品に該当する場合は、クレジットカードＣＣ又は免許証ＬＣの画像読み取りを条件として決済処理を実行するため、確実に本人確認を行った上で特定商品の販売を行うことができる。また、購入商品に特定商品が含まれるにも関わらず、クレジットカードＣＣ又は免許証ＬＣの提示が為されない場合は、決済処理を中止するため、他人になりすまして特定商品を購入しようとする者に対する特定商品の販売を阻止することができる。また、最初に特定商品を判別した際に（Ｓ１２参照）、クレジットカードＣＣ又は免許証ＬＣの情報入力を指示することにより（Ｓ１３参照）、顧客がクレジットカードＣＣ又は免許証ＬＣを所有していない場合などはその時点で決済処理を中止することができるため、無駄な情報入力を無くすことができる。
【００７９】
なお、クレジットカードＣＣ又は免許証ＬＣの情報入力の指示の後、顧客がこれらを準備するまで、商品コードの入力（取得）を続行できるよう構成されることが好ましい。この構成によれば、顧客によるクレジットカードＣＣ又は免許証ＬＣの提示を待つ時間を有効に利用することができる。
【００８０】
次に、図１２および図１３を参照し、本発明の第２実施形態について説明する。上記の実施形態では、顧客が購入した購入商品に特定商品が含まれる場合、クレジットカードＣＣ又は免許証ＬＣの画像読み取りを条件として決済処理を実行するものとしたが、本実施形態ではこの条件の判別に加え、顧客の購入商品のいずれかが、「特定商品の組み合わせ」に該当するか否かを判別し、購入商品に特定商品（分類コードが「０」以外の商品）が含まれない場合でも、購入商品のいずれかが「特定商品の組み合わせ」に該当する場合は、クレジットカードＣＣ又は免許証ＬＣの提示を依頼する。つまり、販売商品の中には、そのもの単品では危険性が低いと考えられるものでも、特定の組み合わせで利用されると、危険性が高くなる商品も含まれるため（例えば、ロープなどは単品では危険性は低いが、手錠等と組み合わせると犯罪に利用される可能性が高いと判断できる）、そのような商品に対しても販売の規制を加えるものである。そこで、第１実施形態と異なる点を中心に説明する。
【００８１】
図１２のフローチャートに示すように、オペレータによるバーコードリーダ６５の操作により、ＰＯＳ端末コンピュータ６０が商品コードを取得し（Ｓ３１）、全ての購入商品に相当する商品コードの取得が終了すると（Ｓ３２：Ｙｅｓ）、購入商品のいずれかが特定商品に該当するか否か、若しくは購入商品のいずれかが「特定商品の組み合わせ」に該当するか否かを判別する（Ｓ３３）。なお、ここで判別する「特定商品に該当するか否か」と「特定商品の組み合わせに該当するか否か」の「特定商品」は、必ずしも一致しないため、前者を「分類特定商品（分類コードによって区別される特定商品）に該当するか否か」として以下説明する。
【００８２】
この判別は、図１３に示す商品マスタ２０（分類コードおよび組み合わせコードの両方を管理項目とする商品マスタ）を参照して行われる。ここで、「分類コード」とは、第１実施形態と同様に、購入商品が特定商品に該当するか否かを示すものであり、「組み合わせコード」とは、特定商品の組み合わせに該当するか否かを示すものである。また、「組み合わせコード」は、同じコード（アルファベットにより図示）を有する商品が同じ組み合わせとなっており、例えば、図１３に示す例の場合、アルファベットＡを組み合わせコードとする「木刀」、「手錠」、「ナイフ」、「ロープ」が１つの組み合わせとなっている。したがって、顧客の購入商品の中に、これらのうち２つ以上の商品が含まれている場合は「特定商品の組み合わせ」に該当することになる。また、「ナイフ」は、アルファベットＡとＢを組み合わせコードとしているため、アルファベットＡ以外にもアルファベットＢの組み合わせにも属する商品ということになる。
【００８３】
ここで、分類特定商品に該当するか若しくは特定商品の組み合わせに該当するかのＯＲ条件を満たす場合は（Ｓ３３：Ｙｅｓ）、オペレータ用ディスプレイ６３ａおよび顧客用ディスプレイ６３ｂに、図１０（ｂ）および（ｃ）に示す内容（クレジットカードＣＣによる決済又は免許証ＬＣの提示（提示依頼）が必要である旨）を表示する（Ｓ３４）。ここで、顧客から免許証ＬＣが提示された場合は（Ｓ３５：免許証）、オペレータのキーボード操作による「免許証」キーの押下後、スキャナヘッド４４により免許証表面の画像を読み取り（Ｓ３６）、その読み取り結果から生成した画像データと、トランザクション番号（取引番号）とを関連づけて、メモリ６６内に一旦格納する（Ｓ３７）。また、ＰＯＳ端末コンピュータ６０は、入力された商品コードおよびこれによって商品マスタ２０から特定される購入商品の単価に基づいて決済処理を行う（Ｓ３８）。
【００８４】
一方、顧客からクレジットカードＣＣが提示された場合は（Ｓ３５：クレジット）、オペレータのキーボード操作による「クレジット」キーの押下により、一連のクレジットカード決済処理（磁気ヘッド５８による磁気データの読み取り、スキャナヘッド４４による画像データの読み取り、取得したカード情報に基づく与信照会、クレジットカードＣＣによる決済処理）を実行する（Ｓ３８）。
【００８５】
また、分類特定商品に該当するか若しくは特定商品の組み合わせに該当するかのＯＲ条件を満たすにも関わらず（Ｓ３３：Ｙｅｓ）、クレジットカードＣＣ又は免許証ＬＣのいずれも提示されなかった場合は（Ｓ３５：Ｎｏ）、決済処理を中止し（Ｓ４０）、顧客用ディスプレイ６３ｂに、図１０（ｄ）に示す内容（購入商品名：○○○○の取引を中止する旨）を表示する。また、クレジットカードＣＣ又は免許証ＬＣのいずれかが提示された場合は、決済処理結果を、レシート印刷部１４０によって印刷することでレシートＲを発行し（Ｓ４１）、決済処理を終了する。
【００８６】
このように、本実施形態における決済処理制御方法によれば、購入商品に分類特定商品が含まれるか否かの判別に加え、顧客の購入商品のいずれかが「特定商品の組み合わせ」に該当するか否かを判別するため、購入商品に特定商品が含まれない場合でも、「特定商品の組み合わせ」に該当する場合は、クレジットカードＣＣ又は免許証ＬＣの提示を依頼する。したがって、単品では危険性が低いと考えられるものでも、特定の組み合わせで利用されると危険性が高くなるような商品も販売規制の対象とするため、より特定商品を用いるような犯罪の防止に役立てることができる。
【００８７】
なお、上記の例において、「購入商品のいずれかが特定商品の組み合わせに該当する」とは、例えば特定商品の組み合わせが４つの特定商品によって構成される場合、４つの特定商品のうち２つ又は３つが購入商品に含まれるときも含まれるものとしたが、これを含まないようにしても良い。すなわち、「購入商品のいずれかが特定商品の組み合わせに該当する」は、例えば特定商品の組み合わせが４つの特定商品によって構成される場合、購入商品に４つ全ての特定商品が含まれることを指すものとしても良い。
【００８８】
また、「特定商品の組み合わせ」としては、上記の例のように、犯罪に用いられる可能性を考慮したもの以外にも、薬品や溶剤の混合よって化学反応を生じるものなど、組み合わせて使用することによって危険性が生じる商品も対象とされることが好ましい。
【００８９】
以上、説明したとおり、本発明のＰＯＳシステム、ＰＯＳ端末、プログラムおよび決済処理制御方法によれば、ＰＯＳ端末５内に特定商品であるか否かを示す分類コードを管理項目とした商品マスタ２０を記憶しておき、これを参照することによって顧客が購入した購入商品が分類特定商品若しくは特定商品の組み合わせに該当するか否かを判別し、その結果購入商品が分類特定商品若しくは特定商品の組み合わせに該当する場合、クレジットカードＣＣ又は免許証ＬＣの画像読み取りを行うため、確実に本人確認を行うことができる。また、購入商品に分類特定商品若しくは特定商品の組み合わせが含まれるにも関わらず、クレジットカードＣＣ又は免許証ＬＣの提示が無い場合（本人確認を行うことができない場合）は、決済処理を中止するため、他人になりすまして特定商品を購入しようとする者に対する特定商品の販売を阻止することができる。すなわち、身分証明書を提示しない限りは特定商品を購入することができないため、特定商品（例えば、毒物や劇物）を用いるような犯罪を未然に防止することができる。また、入力された免許証ＬＣの情報を記憶することにより、犯罪が起きた場合の犯罪捜査にこれを役立てることができる。
【００９０】
また、複合処理装置１０は、クレジットカードＣＣ又は免許証ＬＣのいずれの情報入力も行い得るように構成されており、ディスプレイ６３ａ，６３ｂ上にクレジットカードＣＣ又は免許証ＬＣのいずれか一方の選択的な提示（提示依頼）が指示されるため、オペレータや顧客に対して必要な指示を行うことができると共に、顧客にどちらの情報を提示するかの選択権を与えることができる。また、この場合ディスプレイ６３ａ，６３ｂによる表示によって、情報入力指示を行うため、顧客は情報の提示が必要となることを、またオペレータは必要となる処理（操作）を視覚的に確認することができる。したがって、騒々しい場所にあっても顧客やオペレータに対して確実に情報入力指示を行い得ると共に、顧客にとっては周囲の人に知られることなく特定商品の購入を行うことができる。
【００９１】
なお、上記の例では、クレジットカードＣＣ又は免許証ＬＣが提示された場合、スキャナヘッド４４によってこれらの画像データを読み取ることで情報入力を行うものとしたが、免許証番号のキーボード入力、クレジットカード番号のキーボード入力により、情報入力を行うようにしても良い。この構成によれば、保存するためのデータ量を少なくすることができると共に、複合処理装置１０からスキャナヘッド４４を省略した構成とすることができるため、装置の低廉化を図ることができる。
【００９２】
また、クレジットカードＣＣが提示された場合は、磁気ヘッド５８による読み取り不良を考慮し、スキャナヘッド４４による画像データの読み取りを実行するものの、当該画像データはカード番号の抽出に利用するのみで保存しないものとしたが、当該画像データも、免許証ＬＣの画像データと同様に保存するようにしても良い。この構成によれば、加工されていないクレジットカードＣＣ表面画像の画像データそのものを保存するため、犯罪証明記録として利用する場合、その信頼性が向上する。
【００９３】
また、特定商品を購入する顧客に対し、クレジットカードＣＣ又は免許証ＬＣにより本人確認を行うのではなく、クレジットカードＣＣによる決済を一律に義務づけるようにしても良い。この構成によれば、クレジットカードＣＣにより決済処理を行う場合、与信照会が必要となるが、これによって紛失届や盗難届が提出されている不審なクレジットカードは利用できなくなるため、本人確認をより確実に行うことができると共に、不審な顧客に対する特定商品の販売を控えることができる。
【００９４】
また、免許証ＬＣではなく、各種身分証明書（パスポート、保険証、個人ＩＤカードなど）によって本人確認を行っても良い。なお、この場合、身分証明書は顔写真付きであることが好ましい。この構成によれば、決済処理時にオペレータが目視で顔写真を見比べることができるため、盗難・窃盗による身分証明書の使用を防止することができる。
【００９５】
また、上記では、購入商品に分類特定商品が含まれるか否か、また購入商品のいずれかが特定商品の組み合わせに該当するか否かを判別し、その判別結果に応じてクレジットカードＣＣ又は免許証ＬＣの提示を求めるものとしたが、これらの判別だけでなく、それら特定商品の量または数（商品数、又は商品に含まれている物質の合計量）が、所定量または所定数を超えているか否かを判別し、超えている場合にクレジットカードＣＣ又は免許証ＬＣの提示を求めるようにしても良い。この構成によれば、例えば少量であれば特に問題とならない特定商品（アルコールや石油など）の場合には身分証明書の情報入力を必要としないなど、適切な処理を行うことができる。すなわち、分類特定商品であるか、また特定商品の組み合わせであるかに応じて一辺倒に身分証明書の提示を求めるのではなく、特定商品であっても常識的に用いられることが想定される場合は提示を必要としないことで、不要な処理を無くし、作業効率を向上させることができる。
【００９６】
また、上記の例では、予め定められている特定商品を購入する場合、クレジットカードＣＣ又は免許証ＬＣの提示が必要になるものとしたが、顧客に応じて特定商品を変更するようにしても良い。すなわち、商品リストと顧客リストとを関連づけ、顧客毎に異なる商品リストを参照して特定商品に該当するか否かを判別するようにしても良い。つまり、例えば病院の売店など、病状によっては販売を控えるべき商品（アルコール、たばこなど）を販売する場合は、個々の患者に会員カードを所持させ、この会員カードの提示を条件として商品販売を行うようにすればよい。これにより、会員カードから顧客ＩＤを読み取り、これと関連づけられた商品リストを参照して、アルコール禁止の患者に対しては、販売を中止したり、特別な書類の提示を求めるようにすることができる。したがって、この構成によれば、個々の顧客に見合った販売規制を実施することができる。
【００９７】
また、オペレータのキーボード操作による「免許証」キー又は「クレジット」キーの押下により、ガイド壁５４，５４が各カードの幅方向長さに応じて適切な位置に移動するものとしたが、いずれか一方のカードに対しては基本の位置に設定され、他のカードの挿入を示すキー操作が為されたときのみ、ガイド壁５４，５４の位置修正を行うようにしても良い。また、磁気ヘッド５８の手前に、カード種類を判別するための検出センサを備え、カード挿入によって自動的にカード種類を判別し、ガイド壁５４，５４を適切な位置に移動させる構成とすることも可能である。この構成によれば、オペレータによる「免許証」キー又は「クレジット」キーの押下の手間を省くことができる。
【００９８】
また、上記の例に示した、複合処理装置１０またはＰＯＳ端末コンピュータ６０における各機能（各手段）をプログラムとして提供することも可能である。また、そのプログラムを記憶媒体（図示省略）に格納し、パーソナルコンピュータ等にインストールすることで、本実施形態に示すＰＯＳシステム１以外でも、本発明の決済処理制御方法を実現可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００９９】
また、上記の複合処理装置１０の各機能をＰＯＳ端末コンピュータ６０に組み込み、１台の装置（ＰＯＳ端末５）として構成しても良い。また、複合処理装置１０から小切手処理機能およびレシート印刷機能を省略し、クレジットカード・免許証画像読み取り装置として利用することも可能である。更に、実施例では商品コード取得手段としてバーコードリーダを例に説明したが、商品コードを取得するには、今後、用いられると思われる無線タグの一種のＲＦＩＤを読み取るリーダを用いることも可能であり、そのコードを示す形態を特定するものではない。
【０１００】
また、上述した実施例によらず、例えばシステム構成や装置構成等について、本発明の要旨を逸脱しない範囲で、適宜変更も可能である。
【図面の簡単な説明】
【０１０１】
【図１】本発明の実施形態に係るＰＯＳシステムの構成図である。
【図２】本発明の実施形態に係る複合処理装置の外観斜視図である。
【図３】本発明の実施形態に係る複合処理装置の部分断面図である。
【図４】本発明の実施形態に係る複合処理装置の上面蓋体部の斜視図である。
【図５】本発明の実施形態に係る複合処理装置のカード搬送路上面側を示す断面図である。
【図６】本発明の実施形態に係るＰＯＳ端末の制御ブロック図である。
【図７】本発明の実施形態に係るＰＯＳ端末の機能ブロック図である。
【図８】本発明の実施形態に係るＰＯＳ端末の決済処理制御方法を示すフローチャートである。
【図９】本発明の実施形態に係る商品マスタの一例を示す図である。
【図１０】本発明の実施形態に係る表示画面の表示例を示す図である。
【図１１】本発明の実施形態に係る特定商品の一例を示す図である。
【図１２】本発明の第２実施形態に係るＰＯＳ端末の決済処理制御方法を示すフローチャートである。
【図１３】本発明の第２実施形態に係る商品マスタの一例を示す図である。
【符号の説明】
【０１０２】
１        ＰＯＳシステム
５        ＰＯＳ端末
１０        複合処理装置
２０        商品マスタ
４０        クレジットカード・免許証画像読取部
４４        スキャナヘッド
５０        クレジットカード磁気データ読取部
６０        ＰＯＳ端末コンピュータ
６３        表示画面
７０        ＰＯＳサーバ
７１        データベース
７５        ネットワーク
８０        与信照会サーバ
５００        制御手段
５１０        商品コード取得手段
５２０        商品マスタ管理手段
５３０        分類コード読み出し手段
５４０        判別手段
５５０        情報入力指示手段
５６０        情報入力手段
５７０        情報記憶手段
５８０        決済処理手段
５９０        決済処理中止手段
ＣＣ        クレジットカード
ＬＣ        免許証
Ｒ        レシート
Ｓ        小切手
【図１】
2005141372.tif 000003
【図２】
2005141372.tif 000004
【図３】
2005141372.tif 000005
【図４】
2005141372.tif 000006
【図５】
2005141372.tif 000007
【図６】
2005141372.tif 000008
【図７】
2005141372.tif 000009
【図８】
2005141372.tif 000010
【図９】
2005141372.tif 000011
【図１０】
2005141372.tif 000012
【図１１】
2005141372.tif 000013
【図１２】
2005141372.tif 000014
【図１３】
2005141372.tif 000015